(57)【要約】【課題】従局を増設する設置費用が少なくて済む電子せりシステムを提供する。【解決手段】買参人が操作する複数の従局４００を主局３００に高周波同軸線３０１でカスケード接続し、競り人が操作する中央局１５０に主局３００を接続する。【効果】テレビ信号線として安価に市販されている高周波同軸線を用い、複数の従局を主局にカスケード接続するため、従局数を増やすことが容易であり、総線長も短縮できる。これらにより、従局数を増やす設置費用が少なくて済む。【選択図】  図１
2004326444.tif 000002
【特許請求の範囲】
【請求項１】
競り人が操作する中央局と、前記中央局に接続されている主局と、前記主局に高周波同軸線によってカスケード接続されており買参人が操作する複数の従局とを具備し、前記主局を介して前記中央局と前記従局の間で競りのためのデータを双方向伝送することを特徴とする電子競りシステム。
【請求項２】
請求項１に記載の電子競りシステムにおいて、前記主局と前記従局の間では前記高周波同軸線を通じて信号をシングルエンド伝送すると共に、前記主局から前記高周波同軸線を介して前記従局へ直流電源を供給することを特徴とする電子競りシステム。
【請求項３】
請求項２に記載の電子競りシステムにおいて、前記主局と前記従局の間で伝送される信号は、ＦＳＫ変調信号であることを特徴とする電子競りシステム。
【発明の詳細な説明】
【０００１】
【発明の属する技術分野】
本発明は、電子競りシステムに関し、さらに詳しくは、従局数を増やす設置費用が少なくて済む電子競りシステムに関する。
【０００２】
【従来の技術】
従来、競り人が操作するデータ処理装置（中央局と呼ぶ）と買参人が操作する複数の端末（従局と呼ぶ）とをＬＡＮ（Ｌｏｃａｌ  Ａｒｅａ  Ｎｅｔｗｏｒｋ）によってパラレル接続した電子競りシステムが知られている（例えば、特許文献１参照。）。
【０００３】
【特許文献１】
特開平８−１６１４０８号公報（［０００７］，図１，図３）
【０００４】
【発明が解決しようとする課題】
上記従来の電子競りシステムでは、競り人が操作する中央局と買参人が操作する複数の従局とをＬＡＮによってパラレル接続しているため、従局数を増やすのに設置費用が多くかかる問題点があった。
そこで、本発明の目的は、従局数を増やす設置費用が少なくて済む電子競りシステムを提供することにある。
【０００５】
【課題を解決するための手段】
第１の観点では、本発明は、競り人が操作する中央局と、前記中央局に接続されている主局と、前記主局に高周波同軸線によってカスケード接続されており買参人が操作する複数の従局とを具備し、前記主局を介して前記中央局と前記従局の間で競りのためのデータを双方向伝送することを特徴とする電子競りシステムを提供する。
上記第１の観点による電子競りシステムでは、テレビ信号線として安価に市販されている高周波同軸線を用いる。また、複数の従局を主局にカスケード接続するため、従局数を増やすことが容易であり、総線長も短縮できる。これらにより、従局数を増やす設置費用が少なくて済む。
【０００６】
第２の観点では、本発明は、上記構成の電子競りシステムにおいて、前記主局と前記従局の間では前記高周波同軸線を通じて信号をシングルエンド伝送すると共に、前記主局から前記高周波同軸線を介して前記従局へ直流電源を供給することを特徴とする電子競りシステムを提供する。
上記第２の観点による電子競りシステムでは、高周波同軸線に重畳された直流電源から従局が電源供給を受けられるから、給電ラインを別に用意する必要がなくなる。従って、設置費用が少なくて済む。また、信号をシングルエンド伝送するため、ディファレンシャル伝送する場合と比較して、比較的容易に直流電源の重畳／分離を行うことが出来る。
【０００７】
第３の観点では、本発明は、上記構成の電子競りシステムにおいて、前記主局と前記従局の間で伝送される信号は、ＦＳＫ（Ｆｒｅｑｕｅｎｃｙ  Ｓｈｉｆｔ  Ｋｅｙｉｎｇ）変調信号であることを特徴とする電子競りシステムを提供する。
パルストランスを用いて送受信する場合に、信号をベースバンド伝送すると、直流成分により、伝送路符号の周波数低下やデューティ比の変動に伴って、パルストランスが磁気飽和を起こし、応答パルスにドループまたはサグが発生して基線位置が変動し、信号を正常に再生できなくなることがある。これに対してデューティ比を５０％にするマンチェスタ符号化を行えばパルストランスの磁気飽和を防ぐことが出来るが、符号化／復号化の処理負担が大きくなる。
そこで、上記第３の観点による電子競りシステムでは、信号をＦＳＫ変調信号とする。ＦＳＫ変調信号は、ベースバンド信号の０／１に対して搬送波の２つの周波数を対応させて変調する方式であるため、パルストランスの磁気飽和が起こらず、基線位置の変動が生じない。これにより、広範囲の伝送レートで安定した信号の送受を行うことが出来る。
【０００８】
【発明の実施の形態】
以下、図に示す実施の形態により本発明をさらに詳細に説明する。なお、これにより本発明が限定されるものではない。
【０００９】
図１は、本発明の一実施形態にかかる電子競りシステム１００の全体構成を示すブロック図である。
この電子競りシステム１００は、競り人が操作する中央局１５０と、中央局１５０にＬＡＮ２００によりパラレル接続された複数の主局３００と、各主局３００に高周波同軸線３０１によりカスケード接続されており買参人が操作する復数の従局４００とを具備している。
【００１０】
中央局１５０は、競り人が操作するデータ処理装置であり、競り上げや競落の管理など、せりを主導的に管轄する機能を有する。
主局３００は、中央局１５０と複数の従局４００の仲介機能を有する。
従局４００は、買参人が操作する端末であり、応札の入力や落札状況の表示など、買参人がせりに参加するための機能を有する。
【００１１】
高周波同軸線３０１は、テレビ信号線として一般的に用いられている１芯の同軸ケーブルである。
【００１２】
図２は、主局３００の構成を詳細に示すブロック図である。
この主局３００は、コネクタ３０４，コンデンサＣ２，パルストランス１０，増幅器１１，コンパレータ１２，デュプレクサ１３，変復調部１４，ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）２０，ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）２２，ＰＨＹ（ＰＨＹｓｉｃａｌ  ｌａｙｅｒ  ｏｆ  ａ  ｎｅｔｗｏｒｋ）回路３１，パルストランス３２，コネクタ２０５，電源部４０Ａを含んでいる。
【００１３】
コネクタ３０４は、例えばＢＮＣ型やＦ型などの同軸コネクタであり、外部的には従局４００からの高周波同軸線３０１が接続され、内部的にはパルストランス１０および電源部４０Ａに接続されている。
【００１４】
コンデンサＣ２は、パルストランス１０に直流電流が流れるのを阻止する。
【００１５】
パルストランス１０は、高周波同軸線３０１と内部回路とをアイソレートしつつ、信号を相互に伝達する。
【００１６】
増幅器１１は、受信した信号を増幅し、コンパレータ１２へ出力する。
コンパレータ１２は、受信した信号を整形する。
【００１７】
デュプレクサ１３は、信号の受信と送信とを切り替える。
【００１８】
変復調部１４は、ＦＳＫ復調器１５およびＦＳＫ変調器１６を含む。
ＦＳＫ復調器１５は、ＦＳＫ変調されている受信信号を、ベースバンド信号に復調し、ＡＳＩＣ２０に入力する。
ＦＳＫ変調器１６は、ＡＳＩＣ２０から出力されたベースバンドの送信信号をＦＳＫ変調し、デュプレクサ１３およびパルストランス１０を介して、高周波同軸線３０１へ送出する。
【００１９】
ＡＳＩＣ２０は、中央局１５０から受信した競りのためのデータを従局４００へ送信し、従局４００から受信した競りのためのデータを中央局１５０へ送信する。このため、ＡＳＩＣ２０は、中央局１５０に対する通信プロトコルと従局４００に対する通信プロトコルとを相互に変換するプロトコル変換部２３を含む。ＡＳＩＣ２０は、従局４００からの受信信号を常時モニターし、０／１の変化をする受信信号があれば、その受信信号を受け入れる。また、従局４００への送信時は、従局４００からの受信信号との衝突を避けるため、０／１の変化をする受信信号が所定時間無いことを確認してから、送信信号を出力する。
【００２０】
ＥＥＰＲＯＭ２２は、ＡＳＩＣ２０の外部記憶装置として機能する。
【００２１】
ＰＨＹ回路３１は、ＬＡＮ２００における物理層インタフェースを司る回路である。
【００２２】
パルストランス３２は、ＬＡＮ２００と内部回路とをアイソレートしつつ、信号を相互に伝達する。
【００２３】
コネクタ２０５は、例えばＲＪ−４５規格のモジュラコネクタであり、外部的にはＬＡＮ２００が接続され、内部的にはパルストランス３２に接続されている。
【００２４】
電源部４０Ａは、商用電源４９から直流電源を生成する直流電源回路４１と、直流電源を高周波同軸線３０１に重畳する電源重畳回路４２とを備えている。
【００２５】
図３は、従局４００を詳細に示すブロック図である。
この従局４００は、コネクタ３０５，コネクタ３０６，コンデンサＣ２，パルストランス１０，増幅器１１，コンパレータ１２，デュプレクサ１３，変復調部１４，ＭＰＵ２１，インタフェース回路３３，操作卓５０，電源部４０Ｂを含んでいる。
【００２６】
従局４００のコンデンサＣ２，パルストランス１０，増幅器１１，コンパレータ１２，デュプレクサ１３，変復調部１４は、主局３００と同じである。
【００２７】
コネクタ３０５は、例えばＢＮＣ型やＦ型などの同軸コネクタであり、外部的には主局３００または主局３００に近い側に隣接する従局４００からの高周波同軸線３０１が接続され、内部的にはパルストランス１０および電源部４０Ｂおよびコネクタ３０６に接続されている。
コネクタ３０６は、例えばＢＮＣ型やＦ型などの同軸コネクタであり、外部的には主局３００から遠い側に隣接する従局４００からの高周波同軸線３０１が接続され、コネクタ３０５とスルーになっている。
【００２８】
ＭＰＵ２１は、中央局１５０から出力された競りのためのデータを主局３００から受信し、中央局１５０へ渡す競りのためのデータを主局３００へ送信する。
【００２９】
インタフェース回路３３は、ＭＰＵ２１と操作卓５０の間の信号の受け渡しを行う機能を有している。
【００３０】
操作卓５０は、買参人が競りに参加するための操作部であり、カードリーダ５１，ＰＯＳスイッチ５２，ブザー５３，ＬＥＤ５４を備えている。
カードリーダ５１は、ＩＤカード（図示せず）の記録内容を読み取り、ＭＰＵ２１へ送る。ＭＰＵ２１は、このＩＤカードの記録内容を中央局１５０へ送信する。
ＰＯＳスイッチ５２は、買参人が応札するための応札スイッチである。競り人が競り値を競り上げる過程で、買参人がＰＯＳスイッチ５２を押下すると、買参人ＩＤと応札情報とが中央局１５０へ送信される。
ブザー５３は、買参人に落札状況を音響で報知する。
ＬＥＤ５４は、従局４００の動作状態を表示する。
【００３１】
電源部４０Ｂは、高周波同軸線３０１に重畳されている直流電源を分離する電源分離回路４３と、分離した直流電源を内部へ供給する電源供給回路４４とを含む。
【００３２】
以上の電子競りシステム１００によれば、次の効果が得られる。
（１）テレビ信号線として安価に市販されている高周波同軸線３０１を用い、複数の従局４００を主局３００にカスケード接続するため、従局数を増やすことが容易であり、総線長も短縮できる。これらにより、従局数を増やす設置費用が少なくて済む。
（２）高周波同軸線３０１に重畳された直流電源から従局４００が電源供給を受けられるから、給電ラインを別に用意する必要がなく、設置費用が少なくて済む。また、信号をシングルエンド伝送するため、ディファレンシャル伝送する場合と比較して、比較的容易に直流電源の重畳／分離を行うことが出来る。
（３）信号をＦＳＫ変調信号とするため、パルストランス１０の磁気飽和が起こらず、基線位置の変動が生じない。これにより、広範囲の伝送レートで安定した信号の送受を行うことが出来る。
【００３３】
【発明の効果】
本発明の電子競りシステムによれば、テレビ信号線として安価に市販されている高周波同軸線を用い、複数の従局を主局にカスケード接続するため、従局数を増やすことが容易であり、総線長も短縮できる。これらにより、従局数を増やす設置費用が少なくて済む。
【図面の簡単な説明】
【図１】本発明の一実施形態にかかる電子競りシステムの全体構成を示すブロック図である。
【図２】主局の構成を詳細に示すブロック図である。
【図３】従局の構成を詳細に示すブロック図である。
【符号の説明】
１００      電子競りシステム
１５０      中央局
２００      ＬＡＮ
３００      主局
３０１      高周波同軸線
４００      従局
【図１】
2004326444.tif 000003
【図２】
2004326444.tif 000004
【図３】
2004326444.tif 000005